(57)【要約】【課題】ＩＰＬ等による光脱毛において光からほくろ等の光を照射したくない部分を確実にマスクすることができるマスキングシール及びマスキングシール付きシートを提供すること。【解決手段】本発明に係るマスキングシール１は、第１層１１と第２層１２の積層構造とし、表面に現れる層となる第１層１１を白色あるいは肌色の熱可塑性樹脂シートとしているので、皮膚の光脱毛を行う場合に、皮膚の光を照射したくない部分に貼付することにより、ＩＰＬ等の照射を確実に遮ることができ、ほくろ等に発熱による痛みが生じることを防止することができる。かかるマスキングシール１や、マスキングシール１が剥離紙１３の上に貼付されたマスキングシール１付きシート２は、ＩＰＬ等の光を使用して、美容サロンやクリニック、家庭等で実施される光脱毛で幅広く使用することができる。【選択図】図４
2020000784.tif 000002
【特許請求の範囲】
【請求項１】
皮膚の光脱毛を行う場合に、当該皮膚における光を照射したくない部分に貼付されるマスキングシールであって、
表面に現れる、白色あるいは肌色の熱可塑性樹脂シートからなる第１層と、
支持体となる第２層と、
前記第１層と前記第２層を粘着する第１粘着層と、
前記第２層における前記第１層と対向する面と反対の面に形成され、前記皮膚に貼付される層となる第２粘着層と、
を含むことを特徴とするマスキングシール。
【請求項２】
前記第１層が白色のポリエステル系樹脂からなるシートであることを特徴とする請求項１に記載のマスキングシール。
【請求項３】
前記第１粘着層Ａ１の粘着力が３．０〜１０．０Ｎ／ｃｍであり、前記第２粘着層の粘着力が０．５〜３．０Ｎ／ｃｍであることを特徴とする請求項１または請求項２に記載のマスキングシール。
【請求項４】
前記第１粘着層と前記第２粘着層がアクリル系粘着剤で形成されていることを特徴とする請求項１ないし請求項３のいずれかに記載のマスキングシール。
【請求項５】
請求項１ないし請求項４のいずかに記載のマスキングシールが剥離紙の上に貼付されたことを特徴とするマスキングシール付きシート。
【発明の詳細な説明】
【技術分野】
【０００１】
本発明は、マスキングシール及びマスキングシール付きシートに関する。さらに詳しくは、皮膚のムダ毛を取り除くための脱毛方法の１つである光脱毛において、皮膚に存在するほくろ等の光を照射したくない部分をマスクするために貼付されるマスキングシール及びマスキングシール付きシートに関する。
【背景技術】
【０００２】
美容を目的として、特に女性を中心に、皮膚のムダ毛を取り除くための脱毛処理が行われている。近年、皮膚の脱毛処理の方法（脱毛方法）としては、光脱毛が知られており、美容サロン（脱毛サロン）やクリニック等で実施されている。
【０００３】
かかる光脱毛は、光脱毛装置の光源部から発した光を被施術部となる皮膚に照射し、体毛の成長を抑制して脱毛を行うものであり（例えば、特許文献１等を参照。）、これらの脱毛方法は、特殊な光が毛根でムダ毛を作っているメラニンに反応し、メラニンが熱を発することでムダ毛の再生機能を破壊するという原理に基づいて脱毛が実施される。
【０００４】
また、光脱毛としては、インテンスパルスライト（Ｉｎｔｅｎｓｅ  Ｐｕｌｓｅｄ  Ｌｉｇｈｔ：ＩＰＬ）を用いた方法が主流である。ＩＰＬとは、一般に、コンデンサ等を用いキセノンランプ（Ｘｅｎｏｎ  Ｌａｍｐ：クセノンランプとも呼ばれる。）をごく短時間のみ発光させた光であるが、黒色の色素に反応するＩＰＬの特色を利用して、ムダ毛の周辺の毛乳頭や毛母細胞にダメージを与えてムダ毛を取り除く方法である。
【０００５】
一方、皮膚にほくろ（ホクロ、黒子等。）が存在した場合、ほくろを構成する色素もメラニンであるため、ＩＰＬ等の光を照射すると毛穴のメラニンだけでなくほくろのメラニンにも反応してしまい、ほくろの部分の発熱により被施術者が痛みを感じることになる。加えて、毛穴のメラニンよりもほくろのほうが面積も大きく反応が高いので、痛みだけでなく、発熱によって火傷してしまったり、場合によっては、いわゆる「メラノーマ」と呼ばれる、ほくろのガンを誘発してしまう可能性もあった。
【０００６】
このようなことから、美容サロンやクリニック等では、ほくろが存在する箇所に、粘着層を有する支持体等から構成される医療用のマスキングテープ等を貼付してマスク（カバー、覆う。以下同じ。）を施して、ほくろに光が照射されないようにした上で施術を行うようにしていた（例えば、特許文献２を参照。）。
【先行技術文献】
【特許文献】
【０００７】
【特許文献１】特開２００１−１９７９２１号公報
【特許文献２】特開２００８−１１３７６３号公報
【発明の開示】
【発明が解決しようとする課題】
【０００８】
しかし、従来のマスキングテープ等では、ＩＰＬ等による光脱毛においては照射された光がほくろに達してしまうことがあり、好ましくなかった。
【０００９】
本発明は、前記の課題に鑑みてなされたものであり、ＩＰＬ等による光脱毛において光からほくろ等の光を照射したくない部分を確実にマスクすることができるマスキングシール及びマスキングシール付きシートを提供することにある。
【課題を解決するための手段】
【００１０】
前記の課題を解決するために、本発明に係るマスキングシールは、
皮膚の光脱毛を行う場合に、当該皮膚における光を照射したくない部分に貼付されるマスキングシールであって、
表面に現れる、白色あるいは肌色の熱可塑性樹脂シートからなる第１層と、
支持体となる第２層と、
前記第１層と前記第２層を粘着する第１粘着層と、
前記第２層における前記第１層と対向する面と反対の面に形成され、前記皮膚に貼付される層となる第２粘着層と、
を含むことを特徴とする。
【００１１】
本発明に係るマスキングシールは、前記した本発明において、前記第１層が白色のポリエステル系樹脂からなるシートであることを特徴とする。
【００１２】
本発明に係るマスキングシールは、前記した本発明において、前記第１粘着層Ａ１の粘着力が３．０〜１０．０Ｎ／ｃｍであり、前記第２粘着層の粘着力が０．５〜３．０Ｎ／ｃｍであることを特徴とする。
【００１３】
本発明に係るマスキングシールは、前記した本発明において、前記第１粘着層と前記第２粘着層がアクリル系粘着剤で形成されていることを特徴とする。
【００１４】
本発明に係るマスキングシール付きシートは、前記した本発明に係るマスキングシールが剥離紙の上に貼付されたことを特徴とする。
【発明の効果】
【００１５】
本発明に係るマスキングシールは、第１層と第２層の積層構造とし、表面に現れる層となる第１層を白色あるいは肌色の熱可塑性樹脂シートとしているので、皮膚の光脱毛を行う場合に、皮膚の光を照射したくない部分に貼付することにより、ＩＰＬ等の照射を確実に遮ることができ、ほくろ等に発熱による痛みが生じることを防止することができる。また、マスキングシール付きシートも、かかるマスキングシールの奏する効果を享受するとともに、マスキングシールが剥離紙の上に貼付されており、取り扱い性等も良好である。
【図面の簡単な説明】
【００１６】
【図１】本発明に係るマスキングシールの一態様を示した斜視図である。
【図２】図１のＡ−Ａ断面図である。
【図３】本発明に係るマスキングシールの一態様を示した図であり、マスキングシールが剥離紙の上に貼付されたマスキングシール付きシートの正面図である。
【図４】図３のＢ−Ｂ断面図である。
【図５】マスキングシール付きシートの別の態様を示した正面図である。
【発明を実施するための形態】
【００１７】
以下、本発明に係るマスキングシール１の一態様について説明する。
【００１８】
図１は、本発明に係るマスキングシール１の一態様を示した斜視図であり、図２は、図１のＡ−Ａ断面図である。図１及び図２中、１はマスキングシール、１１は第１層、１２は第２層、Ａ１は第１粘着層、Ａ２は第２粘着層、をそれぞれ示す。
【００１９】
マスキングシール１は、皮膚の光脱毛を行う場合に、ほくろやしみ等、被施術者の皮膚における光を照射したくない部分に貼付されるものであり、貼付時には表面に現れる、白色あるいは肌色の熱可塑性樹脂シートからなる第１層１１と、支持体となる第２層１２と、かかる第１層１１と第２層１２を粘着する第１粘着層Ａ１と、第１層１１と対向する面と反対の面に形成され、第２層１２における皮膚に直接貼付される層となる第２粘着層Ａ２と、を基本構成として含む。本実施形態にあっては、マスキングシール１は、図１及び図２に示すように、略円形状のものを一例として示している。
【００２０】
（Ｉ）第１層１１：
第１層１１は、表面に現れ、光脱毛を実施する際に光が直接照射される層である。第１層１１は、照射される光を遮り、マスクするほくろ等に光が達しないようにするため、白色あるいは肌色の熱可塑性樹脂シートから構成される。
【００２１】
なお、本発明において「白色」とは、通常の目視によって白く見える範囲の色をいう。例えば、酸化マグネシウムや硫酸バリウム等といった可視光線を９９％以上反射するような白色や、乳白、銀白、鉛白、チタン白等の白色系の色であり、アイボリー等の白色近似色も含む。同様に、本発明において「肌色」とは、人間の肌の色（本発明では、日本人の肌の色を指す。）だけでなく、色むら、光沢等の目視により識別可能な要素を勘案して、人間の肌を表していると判断される全ての色を含む。第１層１１は、本発明にあっては、ＩＰＬ等の光を効率よく遮ることができる等という点で、白色とすることが好ましい。
【００２２】
第１層１１を構成する熱可塑性樹脂としては、例えば、ポリエチレンテレフタレート、ポリエチレンナフタレート等のポリエステル系樹脂、ポリスチレン系の熱可塑性エラストマー樹脂や、ポリエチレン、ポリプロピレン、ポリ酢酸ビニル、エチレン−酢酸ビニル共重合体、エチレン−メタクリル酸共重合体、エチレン−メタクリル酸メチル等のポリオレフィン系樹脂、ポリウレタン系樹脂等の従来公知の熱可塑性樹脂等を使用することができる。本発明の第１層１１を構成するシートとしては、（２軸）延伸が容易であり、後記する光拡散作用を付与しやすいという点で、ポリエステル系樹脂からなるシート（ポリエステル系シート）とすることが好ましく、白色のポリエステル系シートとすることが特に好ましい。なお、本発明にあっては、「シート」は「フィルム」を包含する解釈であり、また、延伸（１軸方向（縦、横）及び２軸方向。）加工が可能なものはそれも含む。第１層１１には、必要に応じて、本発明の目的及び効果を損なわない範囲において、エンボス加工等の表面加工を施してもよい。
【００２３】
第１層１１の厚さは、特に制限はないが、光脱毛において照射されたＩＰＬ等の光を確実に遮るべく、２５〜２５０μｍとすることが好ましく、５０〜２００μｍとすることが特に好ましい。
【００２４】
第１層１１は、ＩＰＬ等で照射される光エネルギーを適宜散乱反射させるものであり、例えば、ポリエステル系樹脂等の熱可塑性樹脂に光拡散剤を添加するようにしたり、ポリエステル系樹脂等の熱可塑性樹脂からなる発泡フィルムとしたりすることにより、光脱毛において照射されたＩＰＬ等の光を効率よく遮ることができる。このようなポリエステル系シートとしては、例えば、クリスパー（登録商標）Ｋ２４１１（東洋紡株式会社製）、白色ＰＥＴルミラー（登録商標）Ｅ２０、ＥＡ３Ｓ、Ｅ６ＳＲ（東レ株式会社製）、等が挙げられる。
【００２５】
また、第１層１１の全光線透過率は、例えば、０〜１５．０％であることが好ましく、０〜１１．０％であることが特に好ましい。全光線透過率がかかる範囲であれば、ＩＰＬ等の照射を効率よく遮ることができ、マスクしたほくろ等が熱くなり、痛くなることを防止することができる、なお、全光線透過率は、例えば、ＪＩＳ  Ｋ７１０５等に準拠して測定すればよい。
【００２６】
（II）第２層１２：
マスキングシール１の形状等を保持する支持体となる第２層１２は、第１粘着層（後記する。）Ａ１を介して第１層１１と粘着され、第２粘着層（これも後記する。）Ａ２を介して被施術者の皮膚に貼付される層である。第２層１２は、第２粘着層Ａ２を介してではあるが皮膚と接する層であり、構成する材料としては、皮膚貼付用途として一般に使用されている樹脂、例えば、例えば、ポリエチレンテレフタレート、ポリエチレンナフタレート等のポリエステル系樹脂、ポリスチレン系の熱可塑性エラストマー樹脂や、ポリエチレン、ポリプロピレン、ポリ酢酸ビニル、エチレン−酢酸ビニル共重合体、エチレン−メタクリル酸共重合体、エチレン−メタクリル酸メチル等のポリオレフィン系樹脂、ポリウレタン系樹脂等の従来公知の熱可塑性樹脂等からなるシートや不織布、綿布等を含む織布、編布、紙等を使用することができる。また、これらは単層でもよく、２種以上を組み合わせて積層体として使用してもよい。
【００２７】
第２層１２（第１層１１も含めて。）は、伸縮性や柔軟性をもたせることが好ましい。第２層１２等に伸縮性等をもたせることにより、皮膚における複雑な形状の部分にも、しわ等を作らずに貼付することができる。
【００２８】
第２層１２の厚さは、特に制限はないが、２００〜７５０μｍとすることが好ましい。第２層１２の厚さをかかる範囲とすることにより、支持体としての機械的強度等を保持し、光を遮ることにも役立つ。第２層１２の厚さは、２５０〜５００μｍとすることが特に好ましい。
【００２９】
第２層１２は、第１層１１が存在するため、表面に現れることはないが、第１層１１と同様の色とすることが好ましく、白色とすることが特に好ましい。
【００３０】
（III）第１粘着層Ａ１及び第２粘着層Ａ２：
第１粘着層Ａ１は、第１層１１と第２層１２の間に介在され、かかる第１層１１と第２層１２を粘着する。また、第２粘着層Ａ２は、第２層１２における被施術者の皮膚と対向する面（第１層１１と対向する面と反対の面）に形成され、かかる皮膚と剥離可能に粘着される。第１粘着層Ａ１等を備えることにより、これらの粘着層による遮へい効果も期待でき、ほくろ等をＩＰＬ等の照射から確実にマスクするようにする。
【００３１】
第１粘着層Ａ１及び第２粘着層Ａ２を構成する粘着剤としては、例えば、アクリル系粘着剤、天然ゴム系粘着剤、合成ゴム（例えば、イソブチレンゴム、イソプレンゴム、クロロプレンゴム、スチレン−ブタジエンゴム、スチレン−イソプレン−スチレンゴム、スチレン−ブタジエン−スチレンゴム、ブタジエンゴム、アクリロニトリル−ブタジエンゴム等。）系粘着剤、シリコーン系粘着剤、ウレタン系粘着剤、ビニルエステル系粘着剤、ビニルエーテル系粘着剤等の粘着剤を使用することができる。粘着剤は、これらの１種を単独で使用することができ、また、これらの２種以上を組み合わせて使用してもよい。なお、第２粘着層Ａ２は直接皮膚に接することになるため、皮膚に接した際にかぶれ等が生じないような、皮膚貼付に適した粘着剤を選択して使用することが好ましい。
【００３２】
第１粘着層Ａ１及び第２粘着層Ａ２を構成する粘着剤としては、ともに、アクリル系粘着剤を使用することが好ましい。アクリル系粘着剤は粘着剤の粘着強度や特性の調整に加えて、安価であることや、透湿性等の調整も容易であり、また、ＩＰＬ等の光照射に対する遮へい効果も期待できる。
【００３３】
アクリル系粘着剤としては、例えば、（メタ）アクリル酸アルキルエステルの１種または２種以上を単量体成分として用いたアクリル系ポリマー（アクリル系樹脂）（ホモポリマーでもコポリマーでもよい。）をベースポリマーとするアクリル系粘着剤等が挙げられる。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシル等の（メタ）アクリル酸で炭素数が１−２０のアルキルエステル等が挙げられる。これらのうち、炭素数が４〜１８の直鎖状あるいは分岐状のアルキル基を有する（メタ）アクリル酸アルキルエステル等を使用することが好ましい。
【００３４】
なお、前記したアクリル系ポリマー（アクリル系樹脂）は、必要に応じて、耐熱性、架橋性、凝集性等の向上を目的として、前記した（メタ）アクリル酸アルキルエステルと共重合可能な他の単量体成分に対応する単位を含有していてもよい。
【００３５】
第１層１１と第２層１２を接着する第１粘着層Ａ１の粘着力（第１粘着層Ａ１を構成する粘着剤の粘着力に相当する。以下同じ。）は、３．０〜１０．０Ｎ／ｃｍ（例えば、ＪＩＳ  Ｚ０２３７等に準拠。）であることが好ましい。第１層１１と第２層１２は使用中に剥がれることは好ましくなく、後記する第２粘着層Ａ２の粘着力（第２粘着層Ａ２を構成する粘着剤の粘着力に相当する。以下同じ。）より大きくする必要があり、永久接着されるようにしてもよい。第１粘着層Ａ１の粘着力がかかる範囲であれば、２つの層が確実に接着され、マスキングシール１を皮膚から剥がす際にも、２つの層が互いに剥がれてしまうことを防止することができる。一方、粘着力が３．０Ｎ／ｃｍより小さいと、粘着力が弱すぎるため、マスキングシール１を皮膚から剥がす際に２つの層が互いに剥がれてしまう場合がある。第１粘着層Ａ１の粘着力は、４．０〜６．０Ｎ／ｃｍであることが特に好ましい。
【００３６】
また、被施術者の皮膚と接触して粘着される第２粘着層Ａ２の粘着力は、０．５〜３
．０Ｎ／ｃｍ（例えば、ＪＩＳ  Ｚ０２３７等に準拠。）であることが好ましい。粘着力がかかる範囲であれば、マスキングシール１が皮膚に確実に貼付され、また、剥がす際にもスムースに違和感なく皮膚から剥がすことができる。一方、粘着力が０．５Ｎ／ｃｍより小さいと、粘着力が弱すぎるため、マスキングシール１が短時間で皮膚から剥離してしまうおそれがあり、粘着力が３．０Ｎ／ｃｍを超えると、粘着力が強すぎるため、マスキングシール１を皮膚から剥がす際に、皮膚を刺激して皮膚の表面等を損傷させる場合がある。第２粘着層Ａ２の粘着力は、０．７〜２．０Ｎ／ｃｍであることが特に好ましい。
【００３７】
前記の粘着力等を維持すべく、第１粘着層Ａ１の厚さは、１０〜１００μｍであることが好ましく、３０〜５０μｍであることが特に好ましい。第２粘着層Ａ２の厚さは、５０〜２００μｍとすることが好ましく、５０〜１００μｍであることが特に好ましい。
【００３８】
（IV）その他：
なお、前記した各層には、本発明の目的及び効果を損なわない範囲において、例えば、界面活性剤、難燃剤、酸化防止剤、可塑剤、架橋剤、粘着付与剤、帯電防止剤、防曇剤、染料、充填剤、増粘剤、老化防止剤、導電剤、紫外線吸収剤、熱安定剤、増核剤、光安定剤、剥離調整剤、離型剤、着色剤（顔料）及び中和剤等、樹脂シートや粘着剤等の分野で一般に使用される各種添加剤を添加するようにしてもよい。
【００３９】
なお、マスキングシール１全体の厚さは、特に制限はないが、ハンドリング（扱いやすさ）とコスト等を考慮し、例えば、１０００μｍ（１ｍｍ）以下とすることが好ましく、
３００〜８００μｍとすることが特に好ましい。
【００４０】
（Ｖ）マスキングシール１及びマスキングシール１付きシート２の製造方法：
図３は、本発明に係るマスキングシール１の一態様を示した図であり、マスキングシール１が剥離紙１３の上に貼付されたマスキングシール１付きシート２の正面図であり、図４は、図３のＢ−Ｂ断面図である。なお、図３にあっては、マスキングシール１の一部（Ｂ−Ｂ断面をとったもの。）にのみ符号１を付している。図４に示すように、マスキングシール１は、第１層１１が表面に現れ、第２粘着層Ａ２が剥離紙１３に粘着されている。
【００４１】
以下、マスキングシール１の製造方法を、図３及び図４に示した、マスキングシール１が剥離紙１３の上に貼付された（第２粘着層Ａ２が剥離紙１３に粘着された）マスキングシール１付きシート２の態様を例として説明する。
【００４２】
まず、第２粘着層Ａ２が形成され、かかる第２粘着層Ａ２の表面に剥離紙１３を備えた第２層１２の第２粘着層Ａ２が形成されていない面に、第１粘着層Ａ１が形成された第１層１１のかかる第１粘着層Ａ１を貼り合わせる。
【００４３】
このようにして第２層１２に第１層１１を貼り合わせた後、第１層１１の上方から、所望のマスキングシール１の形状（図１等であれば円形状。）となるように型抜きし、図１におけるマスキングシール１のいわゆる耳となる部分（第１層１１、第１粘着層Ａ１、第２層１２、第２粘着層Ａ２のマスキングシール１以外の部分の積層体。）を取り去ることで、マスキングシール１が剥離紙１３（図３では模様を付けてある。）の上に貼付されたマスキングシール１付きシート２を簡便に製造することができる。
【００４４】
なお、剥離紙１３としては、特に制限はなく、例えば、ポリエチレンコート紙（グラシン紙、上質紙、クラフト紙等。）や、ポリエチレンテレフタレート（ＰＥＴ）、ポリエチレンナフタレート等のポリエステル系、ポリエチレン、エチレン−酢酸ビニル共重合体、エチレン−エチルアクリレート共重合体、ポリエチレン、ポリプロピレン、エチレン−アクリル酸共重合体、アイオノマー樹脂、ポリイミド等が挙げられる。またこれらの樹脂の混合物でもよい。また、金属箔系としては、銅箔、アルミ箔、錫箔などが挙げられる。
【００４５】
剥離紙１３は、これらの１種の単層構造としてもよく、これらの２種以上の積層構造としてもよい。剥離紙１３の厚さは、概ね５０〜２００μｍとすることが好ましく、７０〜１５０μｍとすることが特に好ましい。
【００４６】
マスキングシール１の形状としては、ほくろ等を確実にマスクできる形状であれば特に制限はなく、円形状、三角形状、四角形状、五角形状、六角形状等の多角形状、星形状、幾何学形状等、形状は任意に決定することができる。また、サイズとしては、ほくろ等の光を照射したくない部分を確実にマスクできる大きさであれば特に制限はなく、例えば、図１等に示すように円形状とした場合には、φ５〜１５とすることが好ましく、φ５〜１０とすることが特に好ましい。
【００４７】
（VI）本発明の効果：
本発明に係るマスキングシール１は、第１層１１と第２層１２の積層構造とし、表面に現れる層となる第１層１１を白色あるいは肌色の熱可塑性樹脂シートとしているので、皮膚の光脱毛を行う場合に、皮膚の光を照射したくない部分に貼付することにより、ＩＰＬ等の照射を確実に遮ることができ、ほくろ等に発熱による痛みが生じることを防止することができる。
【００４８】
また、マスキングシール１付きシート２も、かかるマスキングシール１の奏する効果を享受するとともに、マスキングシール１が剥離紙１３の上に貼付されており、取り扱い性等も良好である。かかるマスキングシール１やマスキングシール１付きシート２は、ＩＰＬ等の光を使用して、美容サロン（脱毛サロン）やクリニック、家庭等で実施される光脱毛で幅広く使用することができる。
【００４９】
（VII）実施形態の変形：
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【００５０】
例えば、前記した実施形態では、図１ないし図４を用いて、円形状のマスキングシール１及び円形状のマスキングシール１が剥離紙１３に貼付されたマスキングシール１付きシート２を例に挙げて説明したが、マスキングシール１の形状は任意に決定することができるとともに、打ち抜いて所定の形状とすることも必須ではない。例えば、第１層１１、第１粘着層Ａ１、第２層１２、第２粘着層Ａ２、剥離紙１３をこの順で積層したシート状物をマスキングシール１が剥離紙１３に貼付されたマスキングシール１付きシート２として、使用時に適宜所望の形状に切断等して、剥離紙１３を剥がした後、第２粘着層Ａ２を皮膚のほくろ等の光を照射したくない部分に貼付して、マスクするようにしてもよい。
【００５１】
また、マスキングシール１付きシート２は、図５に示した構成としてもよい。図５は、マスキングシール１付きシート２の別の態様を示した正面図である。かかるマスキングシール１付きシート２は、第１層１１、第１粘着層Ａ１、第２層１２、第２粘着層Ａ２、剥離紙１３をこの順で積層したシート状物について、第１層１１から第２粘着層Ａ２まで達するスリット（切り取り線）３を格子状に形成している。そして、光脱毛時にその一片を剥離したマスキングシール１を、ほくろ等の皮膚の光を照射したくない部分に貼付することができる。
その他、本発明の実施の際の具体的な構造及び形状等は、本発明の目的を達成できる範囲で他の構造等としてもよい。
【実施例】
【００５２】
以下、実施例及び比較例に基づき本発明をさらに詳細に説明するが、本発明は、これらに限定されるものではない。
【００５３】
下記の構成の実施例１、及び比較例１ないし比較例４のマスキングシールを、被施術者のほくろに貼付してマスクし、試験例１に示した方法によりＩＰＬを照射して評価した。ここで、実施例１における第２粘着層、及び比較例１ないし比較例４における粘着層には、打ち抜き時には剥離紙が貼付されている（実施例１等の以下の各例の合計厚さには、剥離紙の厚さは含まれていない。なお、実施例１及び比較例１の剥離紙の厚さは７０μｍである。）。
【００５４】
［実施例１］
積層のマスキングシールとして、白色の発泡ポリエステル系シート（第１層）（クリスパー（登録商標）Ｋ２４１１（東洋紡株式会社製）、厚さ  ５０μｍ、全光線透過率  １１．０％（ＪＩＳ  Ｋ７１０５に準拠。））にアクリル系接着剤を粘着層（第１粘着層：粘着力  ４．２Ｎ／ｃｍ（ＪＩＳ  Ｚ０２３７に準拠。）、厚さ  ３０μｍ）として形成した（合計厚さ  ８０μｍ）。これに、白色の伸縮性綿布（第２層）にアクリル系粘着剤を粘着層（第２粘着層：粘着力  １．６Ｎ／ｃｍ（ＪＩＳ  Ｚ０２３７に準拠。））として形成した２７３０ＷＬ（スリーエムジャパン株式会社製）（合計厚さ  ６００μｍ）を積層し、円形状（外径：φ９）に打ち抜いて、図１及び図２の構成（合計厚さ  ６８０μｍ）としたものを実施例１とした。
【００５５】
［比較例１］
単層（１層）のマスキングシールとして、白色の伸縮性綿布にアクリル系粘着剤（合計厚さ  ６００μｍ）を粘着層として形成した２７３０ＷＬ（スリーエムジャパン株式会社製）を実施例１と同じ形状に打ち抜いて、比較例１とした。
【００５６】
［比較例２］
単層（１層）のマスキングシールとして、白色のポリエチレンフォームにアクリル系粘着剤（カタログ記載の合計厚さ  ５６０μｍ）を粘着層として形成した１７７４Ｗ（スリーエムジャパン株式会社製）を実施例１と同じ形状に打ち抜いて、比較例２とした。
【００５７】
［比較例３］
単層（１層）のマスキングシールとして、白色のポリエチレンフォームにアクリル系粘着剤（カタログ記載の合計厚さ  ８６０μｍ）を粘着層として形成した１７７３（スリーエムジャパン株式会社製）を実施例１と同じ形状に打ち抜いて、比較例３とした。
【００５８】
［比較例４］
単層（１層）のマスキングシールとして、白色のポリウレタン不織布にアクリル系粘着剤（カタログ記載の合計厚さ  ２５０μｍ）を粘着層として形成した９９０７Ｗ（スリーエムジャパン株式会社製）を実施例１と同じ形状に打ち抜いて、比較例４とした。
【００５９】
［試験例１］
ＩＰＬの照射による評価：
実施例１、及び比較例１ないし比較例４のマスキングシールについて、剥離紙を剥がした後、被施術者のほくろに貼付してマスクし、光脱毛として一般に実施されている方法と同様な条件（ＩＰＬを数秒程度照射する。）で光照射を実施したところ、実施例１については、被施術者は特に熱さや痛みも感じず、問題なく使用できた。一方、比較例１ないし比較例４については、ＩＰＬ照射時にほくろが熱く、痛くなり問題がある（皮膚（ほくろ）まで光が透過してしまう。）ことが確認された。
【産業上の利用可能性】
【００６０】
本発明は、ＩＰＬ等を用いた光脱毛でほくろ等の光を照射したくない部分を確実にマスクすることができる手段として利用することができ、産業上の利用可能性は高い。
【符号の説明】
【００６１】
１  ……  マスキングシール
１１  ……  第１層
１２  ……  第２層
１３  ……  剥離紙
２  ……  マスキングシール付きシート
３  ……  スリット
Ａ１  ……  第１粘着層
Ａ２  ……  第２粘着層
【図１】
2020000784.tif 000003
【図２】
2020000784.tif 000004
【図３】
2020000784.tif 000005
【図４】
2020000784.tif 000006
【図５】
2020000784.tif 000007